(57)【要約】【課題】  部品点数を削減でき、組立性を向上し、組立工数を削減すること。【解決手段】カード５１を離脱方向へ常時付勢している弾性部材３１を有し、ハウジング１１は、前記カード５１に対向するベース面１１ａと、前記ベース面１１ａに形成したハート形状のカム溝１５と、前記弾性部材３１を固定するベース側固定部１７とを有し、前記弾性部材３１は弾性変形部３１ａと、前記ベース側固定部１７に固定するよう前記弾性変形部３１ａの一端側に形成した固定部３１ｂと、前記カム溝１５内を移動するよう前記弾性変形部３１ａのもう一端側に形成した自由端部３１ｃとを有している。【選択図】    図２
2005063746.tif 000002
【特許請求の範囲】
【請求項１】
カードと接続する導電性のコンタクトと、該コンタクトを保持したハウジングとを含むコネクタにおいて、前記カードの嵌合・離脱を行う際に前記カードが当接しかつ前記カードを離脱方向へ常時付勢している弾性部材を有し、前記ハウジングは、前記カードに対向するベース面と、前記ベース面に形成したハート形状のカム溝と、前記弾性部材を固定するベース側固定部とを有し、前記弾性部材は弾性変形部と、前記ベース側固定部に固定するよう前記弾性変形部の一端側に形成した固定部と、前記カードによる前記弾性部材への押圧及び押圧の解除操作によって前記カム溝内を移動し前記弾性部材自体により前記カードの嵌合・離脱を行うよう前記弾性変形部のもう一端側に形成した自由端部とを有していることを特徴とするコネクタ。
【発明の詳細な説明】
【技術分野】
【０００１】
本発明は、ＩＣカードのようなカードを挿入して接続するコネクタに関する。
【背景技術】
【０００２】
従来のコネクタは、インシュレータと、複数のコンタクトと、インシュレータに装着される可動プレートと、可動プレートをカードの排出方向へ常時付勢するコイルばねとを有している。
【０００３】
可動プレートに設けられた弾力性をもつガイドピンの先端部は、インシュレータに設けられたカム機構にガイドされる。カードをコネクタに挿入すると、カードの先端が可動プレートのカード突き当て部に突き当たることによって、可動プレートが移動してカム機構にロックされ、カードのパッドがコンタクトと接触する。カードをコネクタに押込むと、可動プレートがコイルばねの付勢力により排出方向へ移動し、カードがコネクタから排出される。
【特許文献１】特開２０００−２６０５２４号公報（第１頁、図１）
【発明の開示】
【発明が解決しようとする課題】
【０００４】
従来のコネクタでは、可動プレートと、可動プレートをカードの排出方向へ常時付勢するコイルばね等を必要とし、可動プレートは、弾性力をもつガイドピンやカード突き当て部等を形成しなければならないので、部品点数が多く、さらに組立作業が複雑になるという問題がある。
【０００５】
また、機能面では、部品が増えると摺動部分が増えて摩擦抵抗が増えるため、カードの挿入抜去時に障害となるという問題がある。
【０００６】
それ故に本発明の解決しようとする課題は、部品点数を必要最低限に削減し組立性を向上することができ、組立工数を削減することにある。
【０００７】
また、手動部品の摩擦抵抗を減少させることができ、様々なカードに対してもカードの離脱操作を行う際の障害の発生を抑えることができるとともに、低い力でカードの離脱操作ができて、操作の感触を向上することにある。
【課題を解決するための手段】
【０００８】
本発明は、カードと接続する導電性のコンタクトと、該コンタクトを保持したハウジングとを含むコネクタにおいて、前記カードの嵌合・離脱を行う際に前記カードが当接しかつ前記カードを離脱方向へ常時付勢している弾性部材を有し、前記ハウジングは、前記カードに対向するベース面と、前記ベース面に形成したハート形状のカム溝と、前記弾性部材を固定するベース側固定部とを有し、前記弾性部材は弾性変形部と、前記ベース側固定部に固定するよう前記弾性変形部の一端側に形成した固定部と、前記カードによる前記弾性部材への押圧及び押圧の解除する操作によって前記カム溝内を移動し前記弾性部材自体により前記カードの嵌合・離脱を行うよう前記弾性変形部のもう一端側に形成した自由端部とを有していることを特徴とするコネクタが得られる。
【発明の効果】
【０００９】
本発明のコネクタは、部品点数を必要最低限に削減し組立性を向上することができ、組立工数を削減することができる。
【００１０】
また、手動部品の摩擦抵抗を減少させることができ、様々なカードに対してもカードの離脱操作を行う際の障害の発生を抑えることができるとともに、低い力でカードの離脱操作ができ操作の感触を向上することができる。
【発明を実施するための最良の形態】
【００１１】
コネクタは、カードの嵌合・離脱を行う際に前記カードが当接しかつ前記カードを離脱方向へ常時付勢している弾性部材を有し、前記ハウジングは、前記カードに対向するベース面と、前記ベース面に形成したハート形状のカム溝と、前記弾性部材を固定するベース側固定部とを有し、前記弾性部材は弾性変形部と、前記ベース側固定部に固定するよう前記弾性変形部の一端側に形成した固定部と、前記カードによる前記弾性部材への押圧及び押圧の解除操作によって前記カム溝内を移動し前記弾性部材自体により前記カードの嵌合・離脱を行うよう前記弾性変形部のもう一端側に形成した自由端部とを有している。
【実施例１】
【００１２】
図１は、本発明に係るコネクタの実施例１を示している。図２は図１に示したコネクタを分解して示している。
【００１３】
図１及び図２を参照して、コネクタは、絶縁性のハウジング１１と、このハウジング１１に保持されている導電性のコンタクト２１と、弾性部材３１と、ハウジング１１に取り付けられているカバー部材４１とを有している。
【００１４】
ハウジング１１は、略長方板形状を呈しており、図２に矢印によって示した第１の方向Ａ及び第１の方向Ａとは逆向きの第２の方向Ｂに長い寸法となっている。ハウジング１１は、図３（Ａ）に示すＩＣメモリカードのようなカード５１の一面が対向する表側のベース面１１ａと、ベース面１１ａに対して平行な裏側の底面１１ｂと、ベース面１１ａ及び底面１１ｂの第１及び第２の方向Ａ，Ｂに平行な辺間を接続している一対の第１の側面１１ｃ，１１ｄと、ベース面１１ａ及び底面１１ｂの第１及び第２の方向Ａ，Ｂに対して直角な辺間を接続している一対の第２の側面１１ｅ，１１ｆとを有している。
【００１５】
ハウジング１１のベース面１１ａには、穴となっている複数のコンタクト窓部１３と、カム溝１５と、カム溝１５の近傍に弾性部材３１を固定するためのベース側固定部１７が形成されている。一対の第１の側面１１ｃ，１１ｄには、第１の側面１１ｃ，１１ｄから突出している複数の係合部１８が形成されている。ベース側固定部１７は、カム溝１５の第１の方向Ａの端よりも前方に位置している。なお、この実施例１におけるベース側固定部１７は、固定用の穴を形成したものであるが、穴に限らず弾性部材３１の一方端を固定するために周知な構造を採用すればよい。
【００１６】
コンタクト窓部１３は、第１及び第２の方向Ａ，Ｂの中央部分で所定間隔をもって２列に配置されている。なお、実施例１においては、コンタクト窓部１３が第１及び第２の方向Ａ，Ｂを直交する方向で所定間隔をもって四ヶ所に形成されている。
【００１７】
カム溝１５は、第１の方向Ａ側における１列のコンタクト窓部１３の近傍から第１の方向Ａへ延びて位置しており、カム溝１５の第２の方向Ｂにおける端部が第１の方向Ａ側の１列で隣り合う一対のコンタクト窓部１３間に位置している。
【００１８】
さらに、カム溝１５について図３（Ｂ）を参照して詳細に説明する。図３（Ｂ）はカム溝１５を平面から見た図である。カム溝１５は、平面から見ると全体として左右対象な略ハート形状に形成されているのでハート形状のカム溝と呼ぶことにする。カム溝１５は、第１の溝部１５ａと、第１の溝部１５ａに連接している第２及び第３の溝部１５ｂ，１５ｃの一対と、第２及び第３の溝部１５ｂ，１５ｃに連接している第４及び第５の溝部１５ｄ，１５ｅの一対と、第４及び第５の溝部１５ｄ，１５ｅに連接している第６及び第７の溝部１５ｆ，１５ｇの一対と、第６及び第７の溝部１５ｆ，１５ｇの交差部分に形成されている嵌合溝部１５ｈとを有している。
【００１９】
第１の溝部１５ａは、第１の方向Ａ側の１列で隣り合う一対のコンタクト窓部１３間に位置しておりかつ第１及び第２の方向Ａ，Ｂに対して平行に延びている。第２及び第３の溝部１５ｂ，１５ｃは、第１の溝部１５ａの第１の方向Ａ側の端から互いに離れる向きで斜めに延びている。第４及び第５の溝部１５ｄ，１５ｅは、第２及び第３の溝部１５ｂ，１５ｃの第１の方向Ａ側の端から第１及び第２の方向Ａ，Ｂに対して互いに平行に延びている。第６及び第７の溝部１５ｆ，１５ｇは、第４及び第５の溝部１５ｄ，１５ｅの第１の方向Ａ側の端から互いに第４及び第５の溝部１５ｄ，１５ｅの内側へ第２の方向Ｂで斜めに延びてかつ互いに第２の方向Ｂ側の端で互いに交差する向きに延びている。嵌合溝部１５ｈは、第４及び第５の溝部１５ｄ，１５ｅの延長で交差した部分に位置している。
【００２０】
以下、図２を参照してコンタクト２１を説明する。図２に示したように、実施例１におけるハウジング１１に保持したコンタクト２１は、第１の方向Ａ側の１列に位置する四本の各コンタクト２１よりも第２の方向Ｂ側に位置する四本の各コンタクト２１の長さ寸法が若干短い寸法であるが、機能的には同じ機能を果たすので、各コンタクト２１の各部分の名称については同じ符号を付して説明する。
【００２１】
コンタクト２１は、導電板を帯板形状にプレス打ち抜き加工した後に、帯板形状の導電板を曲げ加工を施すことによって作ることができる。なお、コンタクト２１は、帯板形状の導電板に限らず、棒形状の導電部材を曲げ加工を施すことによっても作ることができる。
【００２２】
コンタクト２１は、保持部２１ａと、保持部２１ａの一側から延びている接触バネ部２１ｂと、保持部２１ａのもう一方側から延びている端子部２１ｃとを有している。保持部２１ａは、ハウジング１１に保持される。保持部２１ａをハウジング１１に保持する手段としては、ハウジング１１を樹脂材によって成形する際に保持部２１ａを保持する溝（図示せず）を形成し、溝内に保持部２１ａを圧入もしくは係止することによって保持したり、ハウジング１１を樹脂材によって成形する際に保持部２１ａをモールドイン成形によって一体に固定することも可能である。
【００２３】
接触バネ部２１ｂは、ベース面１１ａに対して出没自在に一方端部分が彎曲されており、彎曲されている外側の頂部が接点部２ｄとなっている。ベース面１１ａに挿入されるカード５１によって接点部２１ｄが押された際には、接触バネ部２１ｂがベース面１１ａ側へ押されることによって接触バネ部２１ｂが変形する。接触バネ部２１ｂは、カード５１がベース面１１ａに対向していないときには、コンタクト窓部１３から常時ベース面１１ａ上へ突出している。
【００２４】
第１の方向Ａ側の１列の各コンタクトの端子部２１ｃは、ハウジング１１の一方の第１の側面１１ｅから第１の方向Ａで外へ延びている。第２の方向Ｂ側の１列の各コンタクト２１の端子部２１ｃは、ハウジング１１のもう一方の第１の側面１１ｆから第２の方向Ｂで外へ延びている。
【００２５】
弾性部材３１は、棒状部材を曲げ加工を施すことによって作られており、平面から見ると略Ｕ字形状に曲げられている弾性変形部３１ａと、弾性変形部３１ａの一方端から延びている固定部３１ｂと、弾性変形部３１ａのもう一方端から延びている自由端部３１ｃとを有している。
【００２６】
固定部３１ｂ及び自由端部３１ｃはこれらが所定間隔をもって同じ向きで相対向しており、弾性変形部３１ａを仮想平面で捉えた場合に、固定部３１ｂ及び自由端部３１ｃが仮想平面に対して垂直な方向に曲げられて互いに対向するように形成されている。固定部３１ｂ及び自由端部３１ｃは、弾性変形部３１ａが変形することによって固定部３１ｂ及び自由端部３１ｃが、固定部３１ｂ及び自由端部３１ｃ間の幅方向で変化する。したがって、弾性部材３１は、復元力がある金属製の棒材もしくは樹脂製の棒材を適宜に用いる。
【００２７】
カバー部材４１は、ハウジング１１のベース面１１ａに対向させるように設けられるカバー主板部４１ａと、ハウジング１１の第１の側面１１ｃ，１１ｄに対向するように第１及び第２の方向Ａ，Ｂを直交する方向の両側を相対向するように曲げられている一対のカバー側板部４１ｂ，４１ｃとを有している。
【００２８】
カバー側板部４１ｂ，４１ｃには、ハウジング１１の係合部１８に一対一に係合するように複数のカバー窓部４１ｄが形成されている。カバー部材４１は、金属板もしくは樹脂板によって作られており、一対のカバー側板部４１ｂ，４１ｃ間が開くように変形し、さらに復元可能な板厚寸法に作られている。
【００２９】
次に、図２に分解して示したコネクタから図１に示したコネクタを組み立てる手順を説明する。
【００３０】
図２を参照して、ハウジング１１にはコンタクト２１を保持する。この際、コンタクト２１は、接触バネ部２１ｂの接点部２１ｄがベース面１１ａ上へ位置するようにコンタクト窓部１３に保持し、端子部２１ｃを第２の側面１１ｅ，１１ｆのそれぞれからハウジング１１の外に位置させるように固定する。
【００３１】
次に、ハウジング１１には、弾性部材３１を取り付ける。弾性部材３１の固定部３１ｂの先端部分は、ハウジング１１のベース面１１ａに形成されている固定用穴であるベース側固定部１７に挿入し、自由端部３１ｃの先端部分（以下、カムフォロア３１ｄと呼ぶ）をカム溝１５の第１の溝部１５ａに挿入する。
【００３２】
さらに、ハウジング１１には、カバー部材４１を取り付ける。カバー部材４１は、一対のカバー側板部４１ｂを外向き少し広げながら、カバー窓部４１ｄをハウジング１１の第１の側面１１ｃ，１１ｄに形成されている係合部１８に係合する。このようにして、図１に示したようにコネクタの組立が完了する。
【００３３】
なお、一例として、コネクタはプリント配線基板に搭載され、コンタクト２１の端子部２１ｃをプリント配線基板基板に設けられている回路の一部を構成する導電部（図示せず）に半田によって半田付け接続される。
【００３４】
ハウジング１１にカバー部材４１を取り付け状態では、カバー部材４１のカバー主板部４１ａと、ハウジング１１のベース面１１ａ間に、図３（Ａ）に示したカード５１の厚み寸法と略等しい空間Ｓ（図１を参照）が形成される。
【００３５】
この空間Ｓを作るには、予め、カード５１の厚み寸法を考慮してカバー部材４１のカバー側板部４１ｂ，４１ｃの高さ方向の寸法を設定しておけばよい。カード５１には、図３（Ａ）に示したように、カード５１をコネクタと嵌合したときに、コンタクト２１の接点部２１ｄに対向して接触する複数の相手接触部５１ａが設けられている。
【００３６】
次に、カード５１をコネクタに嵌合させる操作と、コネクタからカード５１を離脱させるための操作を説明する。
【００３７】
図１に示したように、コネクタにカード５１が挿入されていない状態では、弾性部材３１の自由端部３１ｃが弾性変形部３１ａから略直角にベース面１１ａの方向に向きを変えてベース面１１ａ上のカム溝１５内に自由端部３１ｃのカムフォロア３１ｄが挿入されている。
【００３８】
図３（Ａ）は、コネクタにカード５１を嵌合する途中の状態を示している。図３（Ｂ）は、図３（Ａ）に示したカム溝１５と弾性部材３１のカムフォロア３１ｄとの位置関係を示している。なお、以下の説明においてカム溝１５を移動するカムフォロア３１ｄの動きをカム溝１５に矢印を付して示すことにする。
【００３９】
ハウジング１１のベース面１１ａとカバー部材４１のカバー主板部４１ａとの間の隙間Ｓには、第２の方向Ｂ側の隙間Ｓの開口から隙間Ｓにカード５１を第１の方向Ａへ挿入していくと、カード５１の第１の方向Ａ側の先端面が弾性部材３１の自由端部３１ｃに当接する。この状態におけるカム溝１５と弾性部材３１のカムフォロア３１ｄとの位置関係は、図３（Ｂ）に示したように、カム溝１５の第１の溝部１５ａの第１の方向Ａ側の端部分にカムフォロア３１ｄが位置している。
【００４０】
図４（Ａ）は、図３（Ａ）に示したコネクタにカードをさらに嵌合する途中の状態を示している。図４（Ｂ）は、図４（Ａ）に示したカム溝１５と弾性部材３１のカムフォロア３１ｄとの位置関係を示している。
【００４１】
図３（Ａ）に示した状態からカード３１をさらに第１の方向Ａへ挿入していくと、カード５１の先端面が弾性部材３１の自由端部３１ｃを押圧して作用を開始する。自由端部３１ｃは、カム溝１５の内壁面を摺動しつつ誘導され、第２の溝部１５ｂから第４の溝部１５ｄへと押込まれる。この際、自由端部３１ｃがカード５１の先端面によって押されるので、弾性変形部３１ａがＵ字形状の幅寸法を狭めるように変形する。
【００４２】
なお、カム溝１５は、第１の溝部１５ａの底面が第３の溝部１５ｃの底面の深さ寸法よりも深い底面となっているので、自由端部３１ｃが押されると第２の溝部１５ｂへ誘導されていく。そして、自由端部３１ｃのカムフォロア３１ｄは、図４（Ｂ）に示したように、第６の溝部１５ｆの第１の方向Ａ側の端部に至る。なお、カム溝１５は、第６の溝部１５ｆの底面が第４の溝部１５ｄの底面の深さ寸法よりも深い底面となっている。
【００４３】
図５（Ａ）は、図４（Ａ）に示したコネクタにカード５１が嵌合した状態を示している。図５（Ｂ）は、図５（Ａ）に示したカム溝１５と弾性部材３１のカムフォロア３１ｄとの位置関係を示している。
【００４４】
次に、図４（Ａ）に示した位置においてカード５１の押圧を解除すると、弾性部材３１は、弾性変形部３１ａのみずからの復元力で第６の溝部１５ｆの第１の方向Ａ側の端部に位置している自由端部３１ｃのカムフォロア３１ｄがカード５１を若干量、第２の方向Ｂへ押し戻され、図５（Ａ）及び図５（Ｂ）に示したように自由端部３１ｃのカムフォロア３１ｄが嵌合溝部１５ｈに入り込んで嵌合状態となる。なお、嵌合溝部１５ｈの底面は、第６の溝部１５ｆの底面の深さ寸法よりも低い寸法となっている。
【００４５】
この嵌合状態において、コンタクト２１の接触バネ部２１ａの接点部２１ｄと、カード５１の相手接点部５１ａが接触することによりカード５１とコンタクト２１とが導通し、カード５１に内蔵されているメモリ装置のデータをプリント回路基板に搭載されている電子部品との間で送受することが可能となる。
【００４６】
次に、図５（Ａ）に示したコネクタとカードとの嵌合状態からカードを離脱する作業を以下に説明する。
【００４７】
図６（Ａ）は、図５（Ａ）に示したコネクタとカード５１との嵌合状態からカードを離脱する途中を示している。図６（Ｂ）は、図６（Ａ）に示したカム溝１５と弾性部材３１のカムフォロア３１ｄとの位置関係を示している。
【００４８】
カードをコネクタから離脱するには、図５（Ａ）に示した状態からカード５１を第１の方向Ａへ少し押込むと、図６（Ａ）及び図６（Ｂ）に示したように、自由端部３１ｃのカムフォロア３１ｄが嵌合溝部１５ｈの底面よりも低い深さ寸法の底面となっている第５の溝部１５ｅの第１の方向Ａ側の端部にまで至る。
【００４９】
図７（Ａ）は、図６（Ａ）に示したコネクタとカード５１との離脱途中の状態からカード５１をさらに離脱する途中を示している。図７（Ｂ）は、図７（Ａ）に示したカム溝１５と弾性部材３１ｃのカムフォロア３１ｄとの位置関係を示している。
【００５０】
図６（Ａ）及び図６（Ｂ）に示した状態から、カード５１に第１の方向Ａへの力を止めると、図７（Ａ）に示すように，弾性部材３１の自由端部３１ｂは、弾性変形部３１ａの復元力によりカード５１の先端面を第２の方向Ｂへ押圧してコネクタから離脱しながら図３（Ａ）に示した初期位置へ戻る。なお、第５の溝部１５ｅの底面は、第２の方向Ｂ側で底面が第３の溝部１５ｃの底面よりも深い寸法になっており、さらに、第３の溝部１５ｃの底面が第１の溝部１５ａの底面よりも浅い寸法になるように傾斜した形状としている。図７（Ｂ）に示したように、自由端部３１ｂのカムフォロア３１ｄｈａ，第３の溝部１５ｃの底面から第１の溝部１５ａへと戻ることになる。この状態では、カード５１の第２の方向Ｂ側の一部がコネクタの外へ突き出しているので、突き出しているカード５１部分を指によって掴み、第２の方向Ｂへカード５１を引き出すことができる。
【実施例２】
【００５１】
図８は，コネクタの実施例２を示している。図８において、実施例１と異なる構成は、ハウジング１１のベース面１１ａに形成されるカム溝１５の位置と、弾性部材３１の形状のみであるため、図１及び図２と同じ部分の説明は省略する。
【００５２】
図８を参照して、カム溝１５は、実施例１において示したカム溝１５と同じ形状であり、カム溝１５がベース面１１ａの第１の方向Ａ側における１列のコンタクト窓部１３の近傍で第１及び第２の方向Ａ，Ｂに対して斜めに位置している。
【００５３】
弾性部材３１′は、平面から見ると略Ｌ字形状に曲げられている弾性変形部３１ａ′と、弾性変形部３１ａ′の一方端から延びている固定部３１ｂ′と、弾性変形部３１ａ′のもう一方端から延びている自由端部３１ｃ′とを有している。
【００５４】
固定部３１ｂ′及び自由端部３１ｃ′は、弾性変形部３１ａ′を仮想平面で捉えた場合に、固定部３１ｂ′及び自由端部３１ｃ′が仮想平面に対して垂直に同じ方向に曲げられて形成されている。固定部３１ｂ′及び自由端部３１ｃ′は、弾性変形部３１ａ′が仮想平面において変形することによって固定部３１ｂ′及び自由端部３１ｂ′が、固定部３１ｂ′及び自由端部３１ｃ′間の幅方向で変化する。弾性部材３１′は、復元力がある金属製の棒材もしくは樹脂製の棒材を適宜に用いる。
【００５５】
弾性部材３１′の固定部３１ｂ′を固定するベース側固定部１７′は、ハウジング１１のベース面１１ａの第１の方向Ａ側の端部の前方に位置している。この実施例１におけるベース側固定部１７′は、固定用の穴となっている。
【００５６】
なお、実施例２におけるコネクタでは、コネクタにカード５１が搭載されているときには、カード５１の第１の方向Ａ側における先端面が、略Ｌ字形状に曲げられている弾性変形部３１ａ′の頂部３１ｅ′の外側に当接して常時付勢しているものである。
【００５７】
その他、コネクタの組立順序、カード５１を空間Ｓに挿入して嵌合させる操作、及びカード５１をコネクタから離脱させる操作、カム溝１５に自由端部３１ｂ′のカムフォロア３１ｄ′が摺動して移動していく過程などについては、これらが実施例１と同じであるため説明を省略する。
【００５８】
上述したように、カード５１に求められる嵌合・離脱動作を実現するために、実施例１及び実施例２において提起したように、ベース面１１ａにおけるカム溝１５の位置や弾性部材３１，３１′の形状は自由端部３１ｃ，３１ｃ′のカムフォロア３１ｄ，３１ｄ′の動きに合わせて適宜に選択する。
【００５９】
また、カバー部材４１は、カード５１をベース面１１ａ上で嵌合・離脱する位置への移動を規制するものであるから、カバー部材４１の代わりに、コネクタを取り付ける機器側でベース面１１ａに対向する部分の機器側の壁面を利用してもよい。
【産業上の利用可能性】
【００６０】
本発明のコネクタは、カードとして補助的なメモリとして用いるＳＤメモリカードやメモリスティック、ソリッドステートフロッピー（登録商標）ディスクカードなどを利用するＰＤＡ、携帯電話器などの機器に対しての用途にも適用できる。
【図面の簡単な説明】
【００６１】
【図１】本発明に係るコネクタの実施例１を示しており、コネクタのカバーの一部を断面して示した斜視図である。
【図２】図１に示したコネクタを分解して各部品を示した斜視図である。
【図３】（Ａ）は、コネクタにカードを嵌合する途中の状態を示す斜視図であり、（Ｂ）は、（Ａ）に示したカム溝と弾性部材における自由端部のカムフォロアとの位置関係を示した説明図である。
【図４】（Ａ）は、図３（Ａ）に示したコネクタにカードをさらに嵌合する途中の状態を示す斜視図であり、（Ｂ）は、（Ａ）に示したカム溝と弾性部材における自由端部のカムフォロアとの位置関係を示した説明図である。
【図５】（Ａ）は、図４（Ａ）に示したコネクタにカードを嵌合した状態を示す斜視図であり、（Ｂ）は、（Ａ）に示したカム溝と弾性部材における自由端部のカムフォロアとの位置関係を示した説明図である。
【図６】（Ａ）は、図５（Ａ）に示したコネクタとカードとの嵌合状態からカードを排出する途中を示す斜視図であり、（Ｂ）は、（Ａ）に示したカム溝と弾性部材における自由端部のカムフォロアとの位置関係を示した説明図である。
【図７】（Ａ）は、図６（Ａ）に示したコネクタとカードとの排出途中の状態からカードをさらに排出する途中を示す斜視図であり、（Ｂ）は、（Ａ）に示したカム溝と弾性部材における自由端部のカムフォロアとの位置関係を示した説明図である。
【図８】コネクタの実施例２を示す斜視図である。
【符号の説明】
【００６２】
１１    ハウジング
１１ａ    ベース面
１１ｃ，１１ｄ    第１の側面
１１ｅ，１１ｆ    第２の側面
１３    コンタクト窓部
１５    カム溝
１７，１７′    ベース側固定部
１８    係合部
２１    コンタクト
３１，３１′    弾性部材
３１ａ，３１ａ′    弾性変形部
３１ｂ，３１ｂ′    固定部
３１ｃ，３１ｃ′    自由端部
３１ｄ，３１ｄ′    カムフォロア
４１    カバー部材
５１    カード
【図１】
2005063746.tif 000003
【図２】
2005063746.tif 000004
【図３】
2005063746.tif 000005
【図４】
2005063746.tif 000006
【図５】
2005063746.tif 000007
【図６】
2005063746.tif 000008
【図７】
2005063746.tif 000009
【図８】
2005063746.tif 000010